(57)【要約】【課題】本発明は自己検査機能付きの携帯式直流式電池パックを開示した。【解決手段】電池箱を含み、前記電池箱の中には電力接続機構が設置され、前記電力接続機構は四つの電池を含み、かつ四つの前記電池が直列接続されて電池パックになっており、前記電池箱の中には前記電池が電流を出力できるかどうかを検測する検測機構が設置され、前記検測機構は移動チャンバを含み、前記移動チャンバの中には移動ブロックが設置され、前記移動ブロックの中には下方に開口しかつ左右端壁が前記移動チャンバに連通した昇降チャンバが設置され、前記移動ブロックの上端壁には通電ブロックが植設され、前記昇降チャンバの上端壁の中には下方に開口した回転チャンバが設置される。【選択図】図１
2020205228.tif 000002
【特許請求の範囲】
【請求項１】
自己検査機能付きの携帯式直流式電池パックであって、正面視で、電池箱を含み、前記電池箱の中には電力接続機構が設置され、前記電力接続機構は四つの電池を含み、かつ四つの前記電池が直列接続されて電池パックになっており、
前記電池箱の中には前記電池が電流を出力できるかどうかを検測する検測機構が設置され、前記検測機構は移動チャンバを含み、前記移動チャンバの中には移動ブロックが設置され、前記移動ブロックの中には下方に開口しかつ左右端壁が前記移動チャンバに連通した昇降チャンバが設置され、前記移動ブロックの上端壁には通電ブロックが植設され、前記昇降チャンバの上端壁の中には下方に開口した回転チャンバが設置され、前記回転チャンバの中にはカムが設置され、前記カムの下端が前記昇降チャンバの中に位置しており、前記昇降チャンバの中には前記カムと接触した昇降ブロックと、前記昇降ブロックを支持する昇降ばねとが設置され、前記昇降ブロックの中には前記昇降ブロックの左右端壁を貫通しかつ下端壁が前記昇降チャンバと連通したスライドチャンバが設置され、前記スライドチャンバの中には下端が前記移動チャンバの中に位置した導電ブロックが設置され、前記導電ブロックの上端にはラック板が固定され、前記スライドチャンバの前後端壁の間にはスライド軸が回転可能に連結され、前記スライド軸には前記ラック板と噛み合ったスライド歯車が固定され、上側の前記ラック板の左端には下側の前記ラック板と接触した電力接続ブロックが固定され、下側の前記ラック板の右端には絶縁ブロックが固定され、上側の前記ラック板の右端には絶縁の台形ブロックが固定され、前記移動チャンバの中には前記検測機構の移動と二つの前記ラック板の左右移動とを制御できる駆動機構が設置され、前記電池を使うたび、前記駆動機構が前記検測機構を移動連動させて四つの前記電池が出力できるかどうかを検測し、いずれの前記電池が故障になると検出した時、前記駆動機構が前記ラック板の移動を制御して残りの三つの前記電池に接続し、該直列接続電池パックが正常に電流を出力することを保証し、自己検測を実現し、
前記移動チャンバの上端壁の中には、前記駆動機構が前記ラック板を連動させて作動させる必要があるかどうかを制御する制御機構が設置され、前記制御機構は前記検測機構の検測結果により判断を下すことを特徴とする自己検査機能付きの携帯式直流式電池パック。
【請求項２】
前記電力接続機構は前記電池箱の上端面に固定された二つの電力接続柱を含み、前記電池箱の上端面にはハンドルが固定され、前記電池箱の中には前記移動チャンバと連通した電力接続チャンバが設置され、前記電力接続チャンバの下端壁には四つの前記電池が固定され、前記電池の上端面にはいずれも二つの電極が固定され、八つの前記電極と二つの前記電力接続柱とが二つごとに導線によって連結されていることを特徴とする請求項１に記載の自己検査機能付きの携帯式直流式電池パック。
【請求項３】
前記検測機構は伸縮ばねを含み、前記伸縮ばねが前記電力接続ブロックと前記絶縁ブロックとを連結し、前記電池箱の上端面には四つの検測灯が設置されていることを特徴とする請求項１に記載の自己検査機能付きの携帯式直流式電池パック。
【請求項４】
前記駆動機構がモータを含み、前記モータの右端が前記移動チャンバの右端壁に固定されかつ前記モータの左端には駆動軸が伝動可能に連結され、前記移動チャンバの上下端壁の間には固定ブロックが固定され、前記固定ブロックの中には左方に開口した収納チャンバが設置され、前記収納チャンバの中には駆動ブロックが設置され、前記駆動軸の左端が前記固定ブロックと、前記駆動ブロックと、前記移動ブロックと前記カムとを貫通しておりかつ前記カムとねじ山によって連結され、前記駆動ブロックの中には左方に開口したばね溝が設置され、前記ばね溝の上端壁には電磁ブロックが固定され、前記ばね溝の中には左端が前記移動チャンバの中に位置したばね棒と、前記ばね棒を支持する支持ばねとが設置され、前記ばね棒の左端には環状ブロックが設置され、前記収納チャンバの右端壁の中には従動チャンバが設置され、前記従動チャンバの前後端壁の間には従動軸が回転可能に連結され、前記従動軸にはリールが固定され、前記リールには左端が前記駆動ブロックと連結されたチェーンが巻き付けられ、前記従動軸と前記従動チャンバの端壁との間がねじりばねにより連結され、前記ばね溝の後端壁の中には上方に開口しかつ前記ばね溝に連通した昇降溝が設置され、前記昇降溝の中には前端が前記ばね溝の中に設置されかつ前記ばね棒の上側に位置した昇降棒が設置され、前記昇降棒の後端には下押し棒が固定されていることを特徴とする請求項１に記載の自己検査機能付きの携帯式直流式電池パック。
【請求項５】
前記制御機構が持上げチャンバを含み、前記持上げチャンバの中には持上げ板と、前記持上げ板と前記持上げチャンバの上端壁とを連結した持上げばねが設置され、前記持上げ板の中には下に開口した四つのスライド溝が設置され、前記スライド溝の中にはスライドブロックが設置され、前記持上げチャンバの下端壁の中には上端壁の右側が前記持上げチャンバに連通した四つの平行移動チャンバが設置され、前記平行移動チャンバの下端壁の左側が前記移動チャンバと連通しており、前記移動チャンバの左端壁には電磁石が固定され、前記平行移動チャンバの中には、前記電磁石が通電した場合において前記電磁石と反発し合う磁石が設置され、前記磁石の中には上方に開口しかつ右端壁が前記平行移動チャンバと連通した旋転チャンバが設置され、前記旋転チャンバの前後端壁の間には旋転軸が回転可能に連結され、前記旋転軸には右端が前記平行移動チャンバの中に位置した旋転板が固定され、前記旋転板の右端には上端が前記スライドブロックと連結された細縄が固定され、前記磁石の右端には支持板が固定され、前記支持板の右端には前記旋転板の右端と連結された圧縮ばねが固定され、前記持上げチャンバの下端壁の中には前記持上げチャンバと前記昇降溝とを連通した貫通穴が設置され、前記貫通穴の中には下端が前記下押し棒の上端と接触した重物が設置され、前記重物の上端には上端が前記持上げチャンバの上端壁を貫通しておりかつ前記持上げ板と連結されたロープが固定されていることを特徴とする請求項１に記載の自己検査機能付きの携帯式直流式電池パック。
【請求項６】
前記磁石の下端が前記移動チャンバの中に位置しておりかつ前記移動ブロックと接触しており、前記移動ブロックと前記磁石ブロックとの間に摩擦力は前記磁石が通電しない時の前記電磁石との間の磁力より小さいことを特徴とする請求項１又は請求項５に記載の自己検査機能付きの携帯式直流式電池パック。
【請求項７】
圧縮状態にある前記圧縮ばねが一つさえあれば、かつぱっと張った前記細縄が一本さえあれば、前記持上げばねは持上げ板を復帰連動させることができないことを特徴とする請求項５に記載の自己検査機能付きの携帯式直流式電池パック。
【請求項８】
前記重物の重力が前記支持ばねの弾力より大きいことを特徴とする請求項４又は請求項５に記載の自己検査機能付きの携帯式直流式電池パック。
【発明の詳細な説明】
【技術分野】
【０００１】
本発明は検測分野に関し、具体的には自己検査機能付きの携帯式直流式電池パックである。
【背景技術】
【０００２】
一つの電池が需要に満たせない時、複数の電池を直列接続又は並列接続し電池パックになさせ需要を満たすのであり、直列接続電池パックを使用する時、もし中のいずれの電池が故障になり正常作動できなかったら、直列接続電池パック全体が作動不能になってしまい、他の仕事に影響するのである。
現在の電池パックは使用する前、直観的に電池パックの作動状態を確認できず、検測する時は手動で一つ一つの電池を検測し、人力を消耗するだけでなく、効率が低い。また、現有の自動的に直列接続電池パックを検測できる装置の殆どは検測しかできず、一つの電池が故障になった場合、他の電池が通常に作動できるにもかかわらず、該電池パックは依然として作動できず、他の仕事に影響し、損失につながる。
【先行技術文献】
【特許文献】
【０００３】
【特許文献１】中国特許出願公開第104977435号明細書
【発明の概要】
【発明が解決しようとする課題】
【０００４】
自己検査機能付きの携帯式直流式電池パックを提供し、低い検測効率等の問題を解決する。
【課題を解決するための手段】
【０００５】
本発明は以下の技術プランを提供する：本発明である自己検査機能付きの携帯式直流式電池パックは、電池箱を含み、前記電池箱の中には電力接続機構が設置され、前記電力接続機構は四つの電池を含み、かつ四つの前記電池が直列接続されて電池パックになっており、
前記電池箱の中には前記電池が電流を出力できるかどうかを検測する検測機構が設置され、前記検測機構は移動チャンバを含み、前記移動チャンバの中には移動ブロックが設置され、前記移動ブロックの中には下方に開口しかつ左右端壁が前記移動チャンバに連通した昇降チャンバが設置され、前記移動ブロックの上端壁には通電ブロックが植設され、前記昇降チャンバの上端壁の中には下方に開口した回転チャンバが設置され、前記回転チャンバの中にはカムが設置され、前記カムの下端が前記昇降チャンバの中に位置しており、前記昇降チャンバの中には前記カムと接触した昇降ブロックと、前記昇降ブロックを支持する昇降ばねとが設置され、前記昇降ブロックの中には前記昇降ブロックの左右端壁を貫通しかつ下端壁が前記昇降チャンバと連通したスライドチャンバが設置され、前記スライドチャンバの中には下端が前記移動チャンバの中に位置した導電ブロックが設置され、前記導電ブロックの上端にはラック板が固定され、前記スライドチャンバの前後端壁の間にはスライド軸が回転可能に連結され、前記スライド軸には前記ラック板と噛み合ったスライド歯車が固定され、上側の前記ラック板の左端には下側の前記ラック板と接触した電力接続ブロックが固定され、下側の前記ラック板の右端には絶縁ブロックが固定され、上側の前記ラック板の右端には絶縁の台形ブロックが固定され、前記移動チャンバの中には前記検測機構の移動と二つの前記ラック板の左右移動とを制御できる駆動機構が設置され、前記電池を使うたび、前記駆動機構が前記検測機構を移動連動させて四つの前記電池が出力できるかどうかを検測し、いずれの前記電池が故障になると検出した時、前記駆動機構が前記ラック板の移動を制御して残りの三つの前記電池に接続し、該直列接続電池パックが正常に電流を出力することを保証し、自己検測を実現し、
前記移動チャンバの上端壁の中には、前記駆動機構が前記ラック板を連動させて作動させる必要があるかどうかを制御する制御機構が設置され、前記制御機構は前記検測機構の検測結果により判断を下す。
【０００６】
前述した技術プランの上で、前記電力接続機構は前記電池箱の上端面に固定された二つの電力接続柱を含み、前記電池箱の上端面にはハンドルが固定され、前記電池箱の中には前記移動チャンバと連通した電力接続チャンバが設置され、前記電力接続チャンバの下端壁には四つの前記電池が固定され、前記電池の上端面にはいずれも二つの電極が固定され、八つの前記電極と二つの前記電力接続柱とが二つごとに導線によって連結されている。
【０００７】
前述した技術プランの上で、前記検測機構は伸縮ばねを含み、前記伸縮ばねが前記電力接続ブロックと前記絶縁ブロックとを連結し、前記電池箱の上端面には四つの検測灯が設置されている。
【０００８】
前述した技術プランの上で、前記駆動機構がモータを含み、前記モータの右端が前記移動チャンバの右端壁に固定されかつ前記モータの左端には駆動軸が伝動可能に連結され、前記移動チャンバの上下端壁の間には固定ブロックが固定され、前記固定ブロックの中には左方に開口した収納チャンバが設置され、前記収納チャンバの中には駆動ブロックが設置され、前記駆動軸の左端が前記固定ブロックと、前記駆動ブロックと、前記移動ブロックと前記カムとを貫通しておりかつ前記カムとねじ山によって連結され、前記駆動ブロックの中には左方に開口したばね溝が設置され、前記ばね溝の上端壁には電磁ブロックが固定され、前記ばね溝の中には左端が前記移動チャンバの中に位置したばね棒と、前記ばね棒を支持する支持ばねとが設置され、前記ばね棒の左端には環状ブロックが設置され、前記収納チャンバの右端壁の中には従動チャンバが設置され、前記従動チャンバの前後端壁の間には従動軸が回転可能に連結され、前記従動軸にはリールが固定され、前記リールには左端が前記駆動ブロックと連結されたチェーンが巻き付けられ、前記従動軸と前記従動チャンバの端壁との間がねじりばねにより連結され、前記ばね溝の後端壁の中には上方に開口しかつ前記ばね溝に連通した昇降溝が設置され、前記昇降溝の中には前端が前記ばね溝の中に設置されかつ前記ばね棒の上側に位置した昇降棒が設置され、前記昇降棒の後端には下押し棒が固定されている。
【０００９】
前述した技術プランの上で、前記制御機構が持上げチャンバを含み、前記持上げチャンバの中には持上げ板と、前記持上げ板と前記持上げチャンバの上端壁とを連結した持上げばねが設置され、前記持上げ板の中には下に開口した四つのスライド溝が設置され、前記スライド溝の中にはスライドブロックが設置され、前記持上げチャンバの下端壁の中には上端壁の右側が前記持上げチャンバに連通した四つの平行移動チャンバが設置され、前記平行移動チャンバの下端壁の左側が前記移動チャンバと連通しており、前記移動チャンバの左端壁には電磁石が固定され、前記平行移動チャンバの中には、前記電磁石が通電した場合において前記電磁石と反発し合う磁石が設置され、前記磁石の中には上方に開口しかつ右端壁が前記平行移動チャンバと連通した旋転チャンバが設置され、前記旋転チャンバの前後端壁の間には旋転軸が回転可能に連結され、前記旋転軸には右端が前記平行移動チャンバの中に位置した旋転板が固定され、前記旋転板の右端には上端が前記スライドブロックと連結された細縄が固定され、前記磁石の右端には支持板が固定され、前記支持板の右端には前記旋転板の右端と連結された圧縮ばねが固定され、前記持上げチャンバの下端壁の中には前記持上げチャンバと前記昇降溝とを連通した貫通穴が設置され、前記貫通穴の中には下端が前記下押し棒の上端と接触した重物が設置され、前記重物の上端には上端が前記持上げチャンバの上端壁を貫通しておりかつ前記持上げ板と連結されたロープが固定されている。
【００１０】
前述した技術プランの上で、前記磁石の下端が前記移動チャンバの中に位置しておりかつ前記移動ブロックと接触しており、前記移動ブロックと前記磁石ブロックとの間に摩擦力は前記磁石が通電しない時の前記電磁石との間の磁力より小さい。
【００１１】
前述した技術プランの上で、圧縮状態にある前記圧縮ばねが一つさえあれば、かつぱっと張った前記細縄が一本さえあれば、前記持上げばねは持上げ板を復帰連動させることができない。
【００１２】
前述した技術プランの上で、前記重物の重力が前記支持ばねの弾力より大きい。
【発明の効果】
【００１３】
本発明の有益効果は：本発明は構造が簡単で、操作が便利で、装置は電池パックを使用する時に自動的に電池パック内の電池が正常作動かどうかを検測でき、もしいずれも電池が作動不能になったら、機械伝動により作動不能の電池を飛ばし、他の電池に連結し、電池パックの出力を保証し、使用者の仕事に影響しないようにすると同時に、自動化機械の伝動により、検測効率を上げて検測結果を直観的にさせる。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の実施例の構成概略図
【図２】図２は本発明の実施例の「Ａ―Ａ」構成概略図
【図３】図３は本発明の実施例の駆動機構の局部断面の正面拡大構成概略図
【図４】図４は本発明の実施例の制御機構の局部断面の正面拡大構成概略図
【図５】図５は本発明の実施例の検測機構の局部断面の正面拡大構成概略図
【図６】図６は本発明の実施例の回転チャンバの全体断面の左面拡大構成概略図
【発明を実施するための形態】
【００１６】
図１〜６の示したように、自己検査機能付きの携帯式直流式電池パックは、電池箱４を含み、前記電池箱４の中には電力接続機構６０が設置され、前記電力接続機構６０は四つの電池１３を含み、かつ四つの前記電池１３が直列接続されて電池パックになっており、前記電池箱４の中には前記電池１３が電流を出力できるかどうかを検測する検測機構６３が設置され、前記検測機構６３は移動チャンバ１４を含み、前記移動チャンバ１４の中には移動ブロック６が設置され、前記移動ブロック６の中には下方に開口しかつ左右端壁が前記移動チャンバ１４に連通した昇降チャンバ９が設置され、前記移動ブロック６の上端壁には通電ブロック５が植設され、前記昇降チャンバ９の上端壁の中には下方に開口した回転チャンバ４９が設置され、前記回転チャンバ４９の中にはカム５９が設置され、前記カム５９の下端が前記昇降チャンバ９の中に位置しており、前記昇降チャンバ９の中には前記カム５９と接触した昇降ブロック８と、前記昇降ブロック８を支持する昇降ばね１０とが設置され、前記昇降ブロック８の中には前記昇降ブロック８の左右端壁を貫通しかつ下端壁が前記昇降チャンバ９と連通したスライドチャンバ５１が設置され、前記スライドチャンバ５１の中には下端が前記移動チャンバ１４の中に位置した導電ブロック５３が設置され、前記導電ブロック５３の上端にはラック板５５が固定され、前記スライドチャンバ５１の前後端壁の間にはスライド軸５８が回転可能に連結され、前記スライド軸５８には前記ラック板５５と噛み合ったスライド歯車５７が固定され、上側の前記ラック板５５の左端には下側の前記ラック板５５と接触した電力接続ブロック５２が固定され、下側の前記ラック板５５の右端には絶縁ブロック５６が固定され、上側の前記ラック板５５の右端には絶縁の台形ブロック５４が固定され、前記移動チャンバ１４の中には前記検測機構６３の移動と二つの前記ラック板５５の左右移動とを制御できる駆動機構６１が設置され、前記電池１３を使うたび、前記駆動機構６１が前記検測機構６３を移動連動させて四つの前記電池１３が出力できるかどうかを検測し、いずれの前記電池１３が故障になると検出した時、前記駆動機構６１が前記ラック板５５の移動を制御して残りの三つの前記電池１３に接続し、該直列接続電池パックが正常に電流を出力することを保証し、自己検測を実現し、前記移動チャンバ１４の上端壁の中には、前記駆動機構６１が前記ラック板５５を連動させて作動させる必要があるかどうかを制御する制御機構６２が設置され、前記制御機構６２は前記検測機構６３の検測結果により判断を下す。
【００１７】
有益的には、前記電力接続機構６０は前記電池箱４の上端面に固定された二つの電力接続柱２２を含み、前記電池箱４の上端面にはハンドル１が固定され、前記電池箱４の中には前記移動チャンバ１４と連通した電力接続チャンバ１２が設置され、前記電力接続チャンバ１２の下端壁には四つの前記電池１３が固定され、前記電池１３の上端面にはいずれも二つの電極１１が固定され、八つの前記電極１１と二つの前記電力接続柱２２とが二つごとに導線１５によって連結されている。
【００１８】
有益的には、前記検測機構６３は伸縮ばね６４を含み、前記伸縮ばね６４が前記電力接続ブロック５２と前記絶縁ブロック５６とを連結し、前記電池箱４の上端面には四つの検測灯２が設置されている。
【００１９】
有益的には、前記駆動機構６１がモータ１８を含み、前記モータ１８の右端が前記移動チャンバ１４の右端壁に固定されかつ前記モータ１８の左端には駆動軸７が伝動可能に連結され、前記移動チャンバ１４の上下端壁の間には固定ブロック１６が固定され、前記固定ブロック１６の中には左方に開口した収納チャンバ３６が設置され、前記収納チャンバ３６の中には駆動ブロック２０が設置され、前記駆動軸７の左端が前記固定ブロック１６と、前記駆動ブロック２０と、前記移動ブロック６と前記カム５９とを貫通しておりかつ前記カム５９とねじ山によって連結され、前記駆動ブロック２０の中には左方に開口したばね溝３５が設置され、前記ばね溝３５の上端壁には電磁ブロック６６が固定され、前記ばね溝３５の中には左端が前記移動チャンバ１４の中に位置したばね棒３４と、前記ばね棒３４を支持する支持ばね１７とが設置され、前記ばね棒３４の左端には環状ブロック４２が設置され、前記収納チャンバ３６の右端壁の中には従動チャンバ３８が設置され、前記従動チャンバ３８の前後端壁の間には従動軸４１が回転可能に連結され、前記従動軸４１にはリール３９が固定され、前記リール３９には左端が前記駆動ブロック２０と連結されたチェーン３７が巻き付けられ、前記従動軸４１と前記従動チャンバ３８の端壁との間がねじりばね４０により連結され、前記ばね溝３５の後端壁の中には上方に開口しかつ前記ばね溝３５に連通した昇降溝３２が設置され、前記昇降溝３２の中には前端が前記ばね溝３５の中に設置されかつ前記ばね棒３４の上側に位置した昇降棒３３が設置され、前記昇降棒３３の後端には下押し棒３１が固定されている。
【００２０】
有益的には、前記制御機構６２が持上げチャンバ３を含み、前記持上げチャンバ３の中には持上げ板２６と、前記持上げ板２６と前記持上げチャンバ３の上端壁とを連結した持上げばね２７が設置され、前記持上げ板２６の中には下に開口した四つのスライド溝２８が設置され、前記スライド溝２８の中にはスライドブロック２９が設置され、前記持上げチャンバ３の下端壁の中には上端壁の右側が前記持上げチャンバ３に連通した四つの平行移動チャンバ２３が設置され、前記平行移動チャンバ２３の下端壁の左側が前記移動チャンバ１４と連通しており、前記移動チャンバ１４の左端壁には電磁石２５が固定され、前記平行移動チャンバ２３の中には、前記電磁石２５が通電した場合において前記電磁石２５と反発し合う磁石４６が設置され、前記磁石４６の中には上方に開口しかつ右端壁が前記平行移動チャンバ２３と連通した旋転チャンバ４４が設置され、前記旋転チャンバ４４の前後端壁の間には旋転軸４５が回転可能に連結され、前記旋転軸４５には右端が前記平行移動チャンバ２３の中に位置した旋転板４３が固定され、前記旋転板４３の右端には上端が前記スライドブロック２９と連結された細縄２４が固定され、前記磁石４６の右端には支持板４７が固定され、前記支持板４７の右端には前記旋転板４３の右端と連結された圧縮ばね４８が固定され、前記持上げチャンバ３の下端壁の中には前記持上げチャンバ３と前記昇降溝３２とを連通した貫通穴３０が設置され、前記貫通穴３０の中には下端が前記下押し棒３１の上端と接触した重物１９が設置され、前記重物１９の上端には上端が前記持上げチャンバ３の上端壁を貫通しておりかつ前記持上げ板２６と連結されたロープ２１が固定されている。
【００２１】
装置全体の器械動作の順番：
【００２２】
１：電池箱４を使用する時、モータ１８が作動して駆動軸７の回転を連動させ、駆動軸７が時計回りに回転する時、駆動軸７がカム５９を右に運動させ、更に移動ブロック６を右に運動させ、二つの導電ブロック５３が左側の電池１３の上側に位置する時、通電ブロック５が電磁石２５と接触し、モータ１８が作動して駆動軸７を制御して反時計回りに回転させ、更にカム５９を連動させて反時計回りに回転させ、更に昇降ブロック８を下降連動させ、昇降ブロック８が一番下側に下降した時モータ１８が作動停止になり、昇降ばね１０が圧縮され、更に二つの導電ブロック５３と下側の二つの電極１１とを接触させ、この時もし該電池１３が正常に作動すれば、該電池１３が電流を出力し、電流が導電ブロック５３とラック板５５とにより通電ブロック５に伝達されることで、通電ブロック５が電磁石２５の作動を制御し、更に電磁石２５と磁石４６とを反発し合わせ、更に磁石４６を右に運動させ、かつ一つの検測灯２が光る。
２：磁石４６が右に運動し、更に圧縮ばね４８により旋転板４３を回転させることで細縄２４を緩め、もし該電池１３が電流を出力できなければ、通電ブロック５が通電できず、検測灯２が光らず、かつ電磁石２５が磁石４６と吸引し、細縄２４が緩まない。
３：一つ目の電池１３を検測した後、モータ１８が作動して駆動軸７を時計回りに回転させ、更にカム５９と移動ブロック６とを右に運動させて残りの三つの電池１３を検測する。
４：四つの電池１３を検測した後、もし光った検測灯２が二つあり又は二つより少ない場合、該電池箱４が正常に作動できないことがわかり、もし検測灯２の四つが光る場合、四つの電池１３はいずれも正常に作動できることがわかり、かつ四つの細縄２４はいずれも緩んであり、この時持上げ板２６が持上げばね２７の作用により上に運動し、ロープ２１を緩め、重物１９を下降させ、更に下押し棒３１を下降させ、更に昇降棒３３を下降させ、更にばね棒３４を下降させ、更に環状ブロック４２を台形ブロック５４から離れさせ、そしてモータ１８が作動して駆動軸７を反時計回りに回転させ、更にカム５９と移動ブロック６を左に運動させ、更に磁石４６が左に運動させて復帰させ、更に旋転板４３を回転させ、圧縮ばね４８が再び圧縮され、細縄２４が持上げ板２６を引き動かして下降させ、ロープ２１に伝動による重物１９を上昇させ、更に昇降棒３３と、ばね棒３４と、環状ブロック４２と下押し棒３１とを復帰させ、磁石４６が再び通電していない電磁石２５と吸引し合い、移動ブロック６が一番左側に運動した時、モータ１８が作動して駆動軸７を時計回りに回転させ、更にカム５９を復帰させた後、装置のリセットが完了する。
５：もし検測灯２の三つが光る場合、一本の細縄２４が緩んでおらず、持上げ板２６を持上げばね２７の作用により上に運動させることができなく、更に移動ブロック６が一番右側に運動した時、台形ブロック５４が環状ブロック４２の中心に位置しており、このときモータ１８が作動して駆動軸７を反時計回りに回転させ、更にカム５９と移動ブロック６を左に運動させ、台形ブロック５４と環状ブロック４２の制限により、上側のラック板５５が右に運動し、下側のラック板５５が左に運動し、伸縮ばね６４が圧縮され、電力接続ブロック５２とスライド歯車５７とが接触した時、ラック板５５が運動しなくなり、この時二つの導電ブロック５３の間の距離が二つの隣接した負の電極１１の間の距離と同じであり、もし移動ブロック６が継続して左に運動すると、駆動ブロック２０が連動して左に運動し、チェーン３７を引き動かし、ねじりばね４０が拗じられ、移動ブロック６が正常作動不能の電池１３の上側に運動し、この時モータ１８が作動して駆動軸７を時計回りに回転させ、昇降ブロック８を下降させ、昇降ブロック８が一番下側に下降した時モータ１８が作動を停止し、この時右側の導電ブロック５３が正常作動不能の電池１３の負の電極１１と連結し、左側の導電ブロック５３が正常作動不能の電池１３の左側の電池１３の負で電極と連結し、直列接続電池パックを正常に作動させる。
６：電池箱４を使用した後、電磁石６６が作動して昇降棒３３を下降させ、更にばね棒３４と環状ブロック４２とを下降させ、環状ブロック４２と台形ブロック５４とが離れ、更にラック板５５が伸縮ばね６４の作用により復帰し、ねじりばね４０がリセットしてチェーン３７をきつく巻くことで、駆動ブロック２０を復帰させ、この時モータ１８が作動して移動ブロック６の復帰を制限する。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020205228.tif 000003
【図２】
2020205228.tif 000004
【図３】
2020205228.tif 000005
【図４】
2020205228.tif 000006
【図５】
2020205228.tif 000007
【図６】
2020205228.tif 000008
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
自己検査機能付きの携帯式直流式電池パックであって、正面視で、電池箱を含み、前記電池箱の中には電力接続機構が設置され、前記電力接続機構は四つの電池を含み、かつ四つの前記電池が直列接続されて直列接続電池パックになっており、
前記電池箱の中には前記電池が電流を出力できるかどうかを検測する検測機構が設置され、前記検測機構は移動チャンバを含み、前記移動チャンバの中には移動ブロックが設置され、前記移動ブロックの中には下方に開口しかつ左右端壁が前記移動チャンバに連通した昇降チャンバが設置され、前記移動ブロックの上端壁には通電ブロックが植設され、前記昇降チャンバの上端壁の中には下方に開口した回転チャンバが設置され、前記回転チャンバの中にはカムが設置され、前記カムの下端が前記昇降チャンバの中に位置しており、前記昇降チャンバの中には前記カムと接触した昇降ブロックと、前記昇降ブロックを支持する昇降ばねとが設置され、前記昇降ブロックの中には前記昇降ブロックの左右端壁を貫通しかつ下端壁が前記昇降チャンバと連通したスライドチャンバが設置され、前記スライドチャンバの中には下端が前記移動チャンバの中に位置した導電ブロックが設置され、前記導電ブロックの上端にはラック板が固定され、前記スライドチャンバの前後端壁の間にはスライド軸が回転可能に連結され、前記スライド軸には前記ラック板と噛み合ったスライド歯車が固定され、上側の前記ラック板の左端には下側の前記ラック板と接触した電力接続ブロックが固定され、下側の前記ラック板の右端には絶縁ブロックが固定され、上側の前記ラック板の右端には絶縁の台形ブロックが固定され、前記移動チャンバの中には前記検測機構の移動と二つの前記ラック板の左右移動とを制御できる駆動機構が設置され、前記電池を使うたび、前記駆動機構が前記検測機構を移動連動させて四つの前記電池が出力できるかどうかを検測し、いずれの前記電池が故障になると検出した時、前記駆動機構が前記ラック板の移動を制御して残りの三つの前記電池に接続し、該直列接続電池パックが正常に電流を出力することを保証し、自己検測を実現し、
前記移動チャンバの上端壁の中には、前記駆動機構が前記ラック板を連動させて作動させる必要があるかどうかを制御する制御機構が設置され、前記制御機構は前記検測機構の検測結果により判断を下すことを特徴とする自己検査機能付きの携帯式直流式電池パック。
【請求項２】
前記電力接続機構は前記電池箱の上端面に固定された二つの電力接続柱を含み、前記電池箱の上端面にはハンドルが固定され、前記電池箱の中には前記移動チャンバと連通した電力接続チャンバが設置され、前記電力接続チャンバの下端壁には四つの前記電池が固定され、前記電池の上端面にはいずれも二つの電極が固定され、八つの前記電極と二つの前記電力接続柱とが二つごとに導線によって連結されていることを特徴とする請求項１に記載の自己検査機能付きの携帯式直流式電池パック。
【請求項３】
前記検測機構は伸縮ばねを含み、前記伸縮ばねが前記電力接続ブロックと前記絶縁ブロックとを連結し、前記電池箱の上端面には四つの検測灯が設置されていることを特徴とする請求項１に記載の自己検査機能付きの携帯式直流式電池パック。
【請求項４】
前記駆動機構がモータを含み、前記モータの右端が前記移動チャンバの右端壁に固定されかつ前記モータの左端には駆動軸が伝動可能に連結され、前記移動チャンバの上下端壁の間には固定ブロックが固定され、前記固定ブロックの中には左方に開口した収納チャンバが設置され、前記収納チャンバの中には駆動ブロックが設置され、前記駆動軸の左端が前記固定ブロックと、前記駆動ブロックと、前記移動ブロックと前記カムとを貫通しておりかつ前記カムとねじ山によって連結され、前記駆動ブロックの中には左方に開口したばね溝が設置され、前記ばね溝の上端壁には電磁ブロックが固定され、前記ばね溝の中には左端が前記移動チャンバの中に位置したばね棒と、前記ばね棒を支持する支持ばねとが設置され、前記ばね棒の左端には環状ブロックが設置され、前記収納チャンバの右端壁の中には従動チャンバが設置され、前記従動チャンバの前後端壁の間には従動軸が回転可能に連結され、前記従動軸にはリールが固定され、前記リールには左端が前記駆動ブロックと連結されたチェーンが巻き付けられ、前記従動軸と前記従動チャンバの端壁との間がねじりばねにより連結され、前記ばね溝の後端壁の中には上方に開口しかつ前記ばね溝に連通した昇降溝が設置され、前記昇降溝の中には前端が前記ばね溝の中に設置されかつ前記ばね棒の上側に位置した昇降棒が設置され、前記昇降棒の後端には下押し棒が固定されていることを特徴とする請求項１に記載の自己検査機能付きの携帯式直流式電池パック。
【請求項５】
前記制御機構が持上げチャンバを含み、前記持上げチャンバの中には持上げ板と、前記持上げ板と前記持上げチャンバの上端壁とを連結した持上げばねが設置され、前記持上げ板の中には下に開口した四つのスライド溝が設置され、前記スライド溝の中にはスライドブロックが設置され、前記持上げチャンバの下端壁の中には上端壁の右側が前記持上げチャンバに連通した四つの平行移動チャンバが設置され、前記平行移動チャンバの下端壁の左側が前記移動チャンバと連通しており、前記移動チャンバの左端壁には電磁石が固定され、前記平行移動チャンバの中には、前記電磁石が通電した場合において前記電磁石と反発し合う磁石が設置され、前記磁石の中には上方に開口しかつ右端壁が前記平行移動チャンバと連通した旋転チャンバが設置され、前記旋転チャンバの前後端壁の間には旋転軸が回転可能に連結され、前記旋転軸には右端が前記平行移動チャンバの中に位置した旋転板が固定され、前記旋転板の右端には上端が前記スライドブロックと連結された細縄が固定され、前記磁石の右端には支持板が固定され、前記支持板の右端には前記旋転板の右端と連結された圧縮ばねが固定され、前記持上げチャンバの下端壁の中には前記持上げチャンバと前記昇降溝とを連通した貫通穴が設置され、前記貫通穴の中には下端が前記下押し棒の上端と接触した重物が設置され、前記重物の上端には上端が前記持上げチャンバの上端壁を貫通しておりかつ前記持上げ板と連結されたロープが固定されていることを特徴とする請求項４に記載の自己検査機能付きの携帯式直流式電池パック。
【請求項６】
前記磁石の下端が前記移動チャンバの中に位置しておりかつ前記移動ブロックと接触しており、前記移動ブロックと前記磁石との間に生じる摩擦力は前記磁石が通電しない時の前記電磁石との間の磁力より小さいことを特徴とする請求項５に記載の自己検査機能付きの携帯式直流式電池パック。
【請求項７】
圧縮状態にある前記圧縮ばねが一つさえあれば、ピンと張った状態の前記細縄が一本さえあれば、前記持上げばねは持上げ板を復帰連動させることができないことを特徴とする請求項５に記載の自己検査機能付きの携帯式直流式電池パック。
【請求項８】
前記重物の重力が前記支持ばねの弾力より大きいことを特徴とする請求項５に記載の自己検査機能付きの携帯式直流式電池パック。
【手続補正２】
【補正対象書類名】明細書
【補正対象項目名】全文
【補正方法】変更
【補正の内容】
【発明の詳細な説明】
【技術分野】
【０００１】
本発明は検測分野に関し、具体的には自己検査機能付きの携帯式直流式電池パックである。
【背景技術】
【０００２】
一つの電池が需要に満たせない時、複数の電池を直列接続又は並列接続し電池パックになさせ需要を満たすのであり、直列接続電池パックを使用する時、もし中のいずれの電池が故障になり正常作動できなかったら、直列接続電池パック全体が作動不能になってしまい、他の仕事に影響するのである。
現在の電池パックは使用する前、直観的に電池パックの作動状態を確認できず、検測する時は手動で一つ一つの電池を検測し、人力を消耗するだけでなく、効率が低い。また、現有の自動的に直列接続電池パックを検測できる装置の殆どは検測しかできず、一つの電池が故障になった場合、他の電池が通常に作動できるにもかかわらず、該電池パックは依然として作動できず、他の仕事に影響し、損失につながる。
【先行技術文献】
【特許文献】
【０００３】
【特許文献１】中国特許出願公開第１０４９７７４３５号明細書
【発明の概要】
【発明が解決しようとする課題】
【０００４】
自己検査機能付きの携帯式直流式電池パックを提供し、低い検測効率等の問題を解決する。
【課題を解決するための手段】
【０００５】
本発明は以下の技術プランを提供する：本発明である自己検査機能付きの携帯式直流式電池パックは、電池箱を含み、前記電池箱の中には電力接続機構が設置され、前記電力接続機構は四つの電池を含み、かつ四つの前記電池が直列接続されて直列接続電池パックになっており、
前記電池箱の中には前記電池が電流を出力できるかどうかを検測する検測機構が設置され、前記検測機構は移動チャンバを含み、前記移動チャンバの中には移動ブロックが設置され、前記移動ブロックの中には下方に開口しかつ左右端壁が前記移動チャンバに連通した昇降チャンバが設置され、前記移動ブロックの上端壁には通電ブロックが植設され、前記昇降チャンバの上端壁の中には下方に開口した回転チャンバが設置され、前記回転チャンバの中にはカムが設置され、前記カムの下端が前記昇降チャンバの中に位置しており、前記昇降チャンバの中には前記カムと接触した昇降ブロックと、前記昇降ブロックを支持する昇降ばねとが設置され、前記昇降ブロックの中には前記昇降ブロックの左右端壁を貫通しかつ下端壁が前記昇降チャンバと連通したスライドチャンバが設置され、前記スライドチャンバの中には下端が前記移動チャンバの中に位置した導電ブロックが設置され、前記導電ブロックの上端にはラック板が固定され、前記スライドチャンバの前後端壁の間にはスライド軸が回転可能に連結され、前記スライド軸には前記ラック板と噛み合ったスライド歯車が固定され、上側の前記ラック板の左端には下側の前記ラック板と接触した電力接続ブロックが固定され、下側の前記ラック板の右端には絶縁ブロックが固定され、上側の前記ラック板の右端には絶縁の台形ブロックが固定され、前記移動チャンバの中には前記検測機構の移動と二つの前記ラック板の左右移動とを制御できる駆動機構が設置され、前記電池を使うたび、前記駆動機構が前記検測機構を移動連動させて四つの前記電池が出力できるかどうかを検測し、いずれの前記電池が故障になると検出した時、前記駆動機構が前記ラック板の移動を制御して残りの三つの前記電池に接続し、該直列接続電池パックが正常に電流を出力することを保証し、自己検測を実現し、
前記移動チャンバの上端壁の中には、前記駆動機構が前記ラック板を連動させて作動させる必要があるかどうかを制御する制御機構が設置され、前記制御機構は前記検測機構の検測結果により判断を下す。
【０００６】
前述した技術プランの上で、前記電力接続機構は前記電池箱の上端面に固定された二つの電力接続柱を含み、前記電池箱の上端面にはハンドルが固定され、前記電池箱の中には前記移動チャンバと連通した電力接続チャンバが設置され、前記電力接続チャンバの下端壁には四つの前記電池が固定され、前記電池の上端面にはいずれも二つの電極が固定され、八つの前記電極と二つの前記電力接続柱とが二つごとに導線によって連結されている。
【０００７】
前述した技術プランの上で、前記検測機構は伸縮ばねを含み、前記伸縮ばねが前記電力接続ブロックと前記絶縁ブロックとを連結し、前記電池箱の上端面には四つの検測灯が設置されている。
【０００８】
前述した技術プランの上で、前記駆動機構がモータを含み、前記モータの右端が前記移動チャンバの右端壁に固定されかつ前記モータの左端には駆動軸が伝動可能に連結され、前記移動チャンバの上下端壁の間には固定ブロックが固定され、前記固定ブロックの中には左方に開口した収納チャンバが設置され、前記収納チャンバの中には駆動ブロックが設置され、前記駆動軸の左端が前記固定ブロックと、前記駆動ブロックと、前記移動ブロックと前記カムとを貫通しておりかつ前記カムとねじ山によって連結され、前記駆動ブロックの中には左方に開口したばね溝が設置され、前記ばね溝の上端壁には電磁ブロックが固定され、前記ばね溝の中には左端が前記移動チャンバの中に位置したばね棒と、前記ばね棒を支持する支持ばねとが設置され、前記ばね棒の左端には環状ブロックが設置され、前記収納チャンバの右端壁の中には従動チャンバが設置され、前記従動チャンバの前後端壁の間には従動軸が回転可能に連結され、前記従動軸にはリールが固定され、前記リールには左端が前記駆動ブロックと連結されたチェーンが巻き付けられ、前記従動軸と前記従動チャンバの端壁との間がねじりばねにより連結され、前記ばね溝の後端壁の中には上方に開口しかつ前記ばね溝に連通した昇降溝が設置され、前記昇降溝の中には前端が前記ばね溝の中に設置されかつ前記ばね棒の上側に位置した昇降棒が設置され、前記昇降棒の後端には下押し棒が固定されている。
【０００９】
前述した技術プランの上で、前記制御機構が持上げチャンバを含み、前記持上げチャンバの中には持上げ板と、前記持上げ板と前記持上げチャンバの上端壁とを連結した持上げばねが設置され、前記持上げ板の中には下に開口した四つのスライド溝が設置され、前記スライド溝の中にはスライドブロックが設置され、前記持上げチャンバの下端壁の中には上端壁の右側が前記持上げチャンバに連通した四つの平行移動チャンバが設置され、前記平行移動チャンバの下端壁の左側が前記移動チャンバと連通しており、前記移動チャンバの左端壁には電磁石が固定され、前記平行移動チャンバの中には、前記電磁石が通電した場合において前記電磁石と反発し合う磁石が設置され、前記磁石の中には上方に開口しかつ右端壁が前記平行移動チャンバと連通した旋転チャンバが設置され、前記旋転チャンバの前後端壁の間には旋転軸が回転可能に連結され、前記旋転軸には右端が前記平行移動チャンバの中に位置した旋転板が固定され、前記旋転板の右端には上端が前記スライドブロックと連結された細縄が固定され、前記磁石の右端には支持板が固定され、前記支持板の右端には前記旋転板の右端と連結された圧縮ばねが固定され、前記持上げチャンバの下端壁の中には前記持上げチャンバと前記昇降溝とを連通した貫通穴が設置され、前記貫通穴の中には下端が前記下押し棒の上端と接触した重物が設置され、前記重物の上端には上端が前記持上げチャンバの上端壁を貫通しておりかつ前記持上げ板と連結されたロープが固定されている。
【００１０】
前述した技術プランの上で、前記磁石の下端が前記移動チャンバの中に位置しておりかつ前記移動ブロックと接触しており、前記移動ブロックと前記磁石との間に生じる摩擦力は前記磁石が通電しない時の前記電磁石との間の磁力より小さい。
【００１１】
前述した技術プランの上で、圧縮状態にある前記圧縮ばねが一つさえあれば、ピンと張った状態の前記細縄が一本さえあれば、前記持上げばねは持上げ板を復帰連動させることができない。
【００１２】
前述した技術プランの上で、前記重物の重力が前記支持ばねの弾力より大きい。
【発明の効果】
【００１３】
本発明の有益効果は：本発明は構造が簡単で、操作が便利で、装置は電池パックを使用する時に自動的に電池パック内の電池が正常作動かどうかを検測でき、もしいずれも電池が作動不能になったら、機械伝動により作動不能の電池を飛ばし、他の電池に連結し、電池パックの出力を保証し、使用者の仕事に影響しないようにすると同時に、自動化機械の伝動により、検測効率を上げて検測結果を直観的にさせる。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の実施例の構成概略図
【図２】図２は本発明の実施例の「Ａ―Ａ」構成概略図
【図３】図３は本発明の実施例の駆動機構の局部断面の正面拡大構成概略図
【図４】図４は本発明の実施例の制御機構の局部断面の正面拡大構成概略図
【図５】図５は本発明の実施例の検測機構の局部断面の正面拡大構成概略図
【図６】図６は本発明の実施例の回転チャンバの全体断面の左面拡大構成概略図
【発明を実施するための形態】
【００１６】
図１〜６の示したように、自己検査機能付きの携帯式直流式電池パックは、電池箱４を含み、前記電池箱４の中には電力接続機構６０が設置され、前記電力接続機構６０は四つの電池１３を含み、かつ四つの前記電池１３が直列接続されて直列接続電池パックになっており、前記電池箱４の中には前記電池１３が電流を出力できるかどうかを検測する検測機構６３が設置され、前記検測機構６３は移動チャンバ１４を含み、前記移動チャンバ１４の中には移動ブロック６が設置され、前記移動ブロック６の中には下方に開口しかつ左右端壁が前記移動チャンバ１４に連通した昇降チャンバ９が設置され、前記移動ブロック６の上端壁には通電ブロック５が植設され、前記昇降チャンバ９の上端壁の中には下方に開口した回転チャンバ４９が設置され、前記回転チャンバ４９の中にはカム５９が設置され、前記カム５９の下端が前記昇降チャンバ９の中に位置しており、前記昇降チャンバ９の中には前記カム５９と接触した昇降ブロック８と、前記昇降ブロック８を支持する昇降ばね１０とが設置され、前記昇降ブロック８の中には前記昇降ブロック８の左右端壁を貫通しかつ下端壁が前記昇降チャンバ９と連通したスライドチャンバ５１が設置され、前記スライドチャンバ５１の中には下端が前記移動チャンバ１４の中に位置した導電ブロック５３が設置され、前記導電ブロック５３の上端にはラック板５５が固定され、前記スライドチャンバ５１の前後端壁の間にはスライド軸５８が回転可能に連結され、前記スライド軸５８には前記ラック板５５と噛み合ったスライド歯車５７が固定され、上側の前記ラック板５５の左端には下側の前記ラック板５５と接触した電力接続ブロック５２が固定され、下側の前記ラック板５５の右端には絶縁ブロック５６が固定され、上側の前記ラック板５５の右端には絶縁の台形ブロック５４が固定され、前記移動チャンバ１４の中には前記検測機構６３の移動と二つの前記ラック板５５の左右移動とを制御できる駆動機構６１が設置され、前記電池１３を使うたび、前記駆動機構６１が前記検測機構６３を移動連動させて四つの前記電池１３が出力できるかどうかを検測し、いずれの前記電池１３が故障になると検出した時、前記駆動機構６１が前記ラック板５５の移動を制御して残りの三つの前記電池１３に接続し、該直列接続電池パックが正常に電流を出力することを保証し、自己検測を実現し、前記移動チャンバ１４の上端壁の中には、前記駆動機構６１が前記ラック板５５を連動させて作動させる必要があるかどうかを制御する制御機構６２が設置され、前記制御機構６２は前記検測機構６３の検測結果により判断を下す。
【００１７】
有益的には、前記電力接続機構６０は前記電池箱４の上端面に固定された二つの電力接続柱２２を含み、前記電池箱４の上端面にはハンドル１が固定され、前記電池箱４の中には前記移動チャンバ１４と連通した電力接続チャンバ１２が設置され、前記電力接続チャンバ１２の下端壁には四つの前記電池１３が固定され、前記電池１３の上端面にはいずれも二つの電極１１が固定され、八つの前記電極１１と二つの前記電力接続柱２２とが二つごとに導線１５によって連結されている。
【００１８】
有益的には、前記検測機構６３は伸縮ばね６４を含み、前記伸縮ばね６４が前記電力接続ブロック５２と前記絶縁ブロック５６とを連結し、前記電池箱４の上端面には四つの検測灯２が設置されている。
【００１９】
有益的には、前記駆動機構６１がモータ１８を含み、前記モータ１８の右端が前記移動チャンバ１４の右端壁に固定されかつ前記モータ１８の左端には駆動軸７が伝動可能に連結され、前記移動チャンバ１４の上下端壁の間には固定ブロック１６が固定され、前記固定ブロック１６の中には左方に開口した収納チャンバ３６が設置され、前記収納チャンバ３６の中には駆動ブロック２０が設置され、前記駆動軸７の左端が前記固定ブロック１６と、前記駆動ブロック２０と、前記移動ブロック６と前記カム５９とを貫通しておりかつ前記カム５９とねじ山によって連結され、前記駆動ブロック２０の中には左方に開口したばね溝３５が設置され、前記ばね溝３５の上端壁には電磁ブロック６６が固定され、前記ばね溝３５の中には左端が前記移動チャンバ１４の中に位置したばね棒３４と、前記ばね棒３４を支持する支持ばね１７とが設置され、前記ばね棒３４の左端には環状ブロック４２が設置され、前記収納チャンバ３６の右端壁の中には従動チャンバ３８が設置され、前記従動チャンバ３８の前後端壁の間には従動軸４１が回転可能に連結され、前記従動軸４１にはリール３９が固定され、前記リール３９には左端が前記駆動ブロック２０と連結されたチェーン３７が巻き付けられ、前記従動軸４１と前記従動チャンバ３８の端壁との間がねじりばね４０により連結され、前記ばね溝３５の後端壁の中には上方に開口しかつ前記ばね溝３５に連通した昇降溝３２が設置され、前記昇降溝３２の中には前端が前記ばね溝３５の中に設置されかつ前記ばね棒３４の上側に位置した昇降棒３３が設置され、前記昇降棒３３の後端には下押し棒３１が固定されている。
【００２０】
有益的には、前記制御機構６２が持上げチャンバ３を含み、前記持上げチャンバ３の中には持上げ板２６と、前記持上げ板２６と前記持上げチャンバ３の上端壁とを連結した持上げばね２７が設置され、前記持上げ板２６の中には下に開口した四つのスライド溝２８が設置され、前記スライド溝２８の中にはスライドブロック２９が設置され、前記持上げチャンバ３の下端壁の中には上端壁の右側が前記持上げチャンバ３に連通した四つの平行移動チャンバ２３が設置され、前記平行移動チャンバ２３の下端壁の左側が前記移動チャンバ１４と連通しており、前記移動チャンバ１４の左端壁には電磁石２５が固定され、前記平行移動チャンバ２３の中には、前記電磁石２５が通電した場合において前記電磁石２５と反発し合う磁石４６が設置され、前記磁石４６の中には上方に開口しかつ右端壁が前記平行移動チャンバ２３と連通した旋転チャンバ４４が設置され、前記旋転チャンバ４４の前後端壁の間には旋転軸４５が回転可能に連結され、前記旋転軸４５には右端が前記平行移動チャンバ２３の中に位置した旋転板４３が固定され、前記旋転板４３の右端には上端が前記スライドブロック２９と連結された細縄２４が固定され、前記磁石４６の右端には支持板４７が固定され、前記支持板４７の右端には前記旋転板４３の右端と連結された圧縮ばね４８が固定され、前記持上げチャンバ３の下端壁の中には前記持上げチャンバ３と前記昇降溝３２とを連通した貫通穴３０が設置され、前記貫通穴３０の中には下端が前記下押し棒３１の上端と接触した重物１９が設置され、前記重物１９の上端には上端が前記持上げチャンバ３の上端壁を貫通しておりかつ前記持上げ板２６と連結されたロープ２１が固定されている。
【００２１】
装置全体の器械動作の順番：
【００２２】
１：電池箱４を使用する時、モータ１８が作動して駆動軸７の回転を連動させ、駆動軸７が時計回りに回転する時、駆動軸７がカム５９を右に運動させ、更に移動ブロック６を右に運動させ、二つの導電ブロック５３が左側の電池１３の上側に位置する時、通電ブロック５が電磁石２５と接触し、モータ１８が作動して駆動軸７を制御して反時計回りに回転させ、更にカム５９を連動させて反時計回りに回転させ、更に昇降ブロック８を下降連動させ、昇降ブロック８が一番下側に下降した時モータ１８が作動停止になり、昇降ばね１０が圧縮され、更に二つの導電ブロック５３と下側の二つの電極１１とを接触させ、この時もし該電池１３が正常に作動すれば、該電池１３が電流を出力し、電流が導電ブロック５３とラック板５５とにより通電ブロック５に伝達されることで、通電ブロック５が電磁石２５の作動を制御し、更に電磁石２５と磁石４６とを反発し合わせ、更に磁石４６を右に運動させ、かつ一つの検測灯２が光る。
２：磁石４６が右に運動し、更に圧縮ばね４８により旋転板４３を回転させることで細縄２４を緩め、もし該電池１３が電流を出力できなければ、通電ブロック５が通電できず、検測灯２が光らず、かつ電磁石２５が磁石４６と吸引し、細縄２４が緩まない。
３：一つ目の電池１３を検測した後、モータ１８が作動して駆動軸７を時計回りに回転させ、更にカム５９と移動ブロック６とを右に運動させて残りの三つの電池１３を検測する。
４：四つの電池１３を検測した後、もし光った検測灯２が二つあり又は二つより少ない場合、該電池箱４が正常に作動できないことがわかり、もし検測灯２の四つが光る場合、四つの電池１３はいずれも正常に作動できることがわかり、かつ四つの細縄２４はいずれも緩んであり、この時持上げ板２６が持上げばね２７の作用により上に運動し、ロープ２１を緩め、重物１９を下降させ、更に下押し棒３１を下降させ、更に昇降棒３３を下降させ、更にばね棒３４を下降させ、更に環状ブロック４２を台形ブロック５４から離れさせ、そしてモータ１８が作動して駆動軸７を反時計回りに回転させ、更にカム５９と移動ブロック６を左に運動させ、更に磁石４６が左に運動させて復帰させ、更に旋転板４３を回転させ、圧縮ばね４８が再び圧縮され、細縄２４が持上げ板２６を引き動かして下降させ、ロープ２１に伝動による重物１９を上昇させ、更に昇降棒３３と、ばね棒３４と、環状ブロック４２と下押し棒３１とを復帰させ、磁石４６が再び通電していない電磁石２５と吸引し合い、移動ブロック６が一番左側に運動した時、モータ１８が作動して駆動軸７を時計回りに回転させ、更にカム５９を復帰させた後、装置のリセットが完了する。
５：もし検測灯２の三つが光る場合、一本の細縄２４が緩んでおらず、持上げ板２６を持上げばね２７の作用により上に運動させることができなく、更に移動ブロック６が一番右側に運動した時、台形ブロック５４が環状ブロック４２の中心に位置しており、このときモータ１８が作動して駆動軸７を反時計回りに回転させ、更にカム５９と移動ブロック６を左に運動させ、台形ブロック５４と環状ブロック４２の制限により、上側のラック板５５が右に運動し、下側のラック板５５が左に運動し、伸縮ばね６４が圧縮され、電力接続ブロック５２とスライド歯車５７とが接触した時、ラック板５５が運動しなくなり、この時二つの導電ブロック５３の間の距離が二つの隣接した負の電極１１の間の距離と同じであり、もし移動ブロック６が継続して左に運動すると、駆動ブロック２０が連動して左に運動し、チェーン３７を引き動かし、ねじりばね４０が拗じられ、移動ブロック６が正常作動不能の電池１３の上側に運動し、この時モータ１８が作動して駆動軸７を時計回りに回転させ、昇降ブロック８を下降させ、昇降ブロック８が一番下側に下降した時モータ１８が作動を停止し、この時右側の導電ブロック５３が正常作動不能の電池１３の負の電極１１と連結し、左側の導電ブロック５３が正常作動不能の電池１３の左側の電池１３の負で電極と連結し、直列接続電池パックを正常に作動させる。
６：電池箱４を使用した後、電磁石６６が作動して昇降棒３３を下降させ、更にばね棒３４と環状ブロック４２とを下降させ、環状ブロック４２と台形ブロック５４とが離れ、更にラック板５５が伸縮ばね６４の作用により復帰し、ねじりばね４０がリセットしてチェーン３７をきつく巻くことで、駆動ブロック２０を復帰させ、この時モータ１８が作動して移動ブロック６の復帰を制限する。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年6月16日(2020.6.16)
【手続補正１】
【補正対象書類名】特許請求の範囲
【補正対象項目名】請求項７
【補正方法】変更
【補正の内容】
【請求項７】
圧縮状態にある前記圧縮ばねが一つ以上あるか、または、ピンと張られた（緊張）状態の前記細縄が一本以上ある場合に、前記持上げばねは持上げ板を復帰連動させることができないことを特徴とする請求項５に記載の自己検査機能付きの携帯式直流式電池パック。
【手続補正２】
【補正対象書類名】明細書
【補正対象項目名】全文
【補正方法】変更
【補正の内容】
【発明の詳細な説明】
【技術分野】
【０００１】
本発明は検測分野に関し、具体的には自己検査機能付きの携帯式直流式電池パックである。
【背景技術】
【０００２】
一つの電池が需要に満たせない時、複数の電池を直列接続又は並列接続し電池パックになさせ需要を満たすのであり、直列接続電池パックを使用する時、もし中のいずれの電池が故障になり正常作動できなかったら、直列接続電池パック全体が作動不能になってしまい、他の仕事に影響するのである。
現在の電池パックは使用する前、直観的に電池パックの作動状態を確認できず、検測する時は手動で一つ一つの電池を検測し、人力を消耗するだけでなく、効率が低い。また、現有の自動的に直列接続電池パックを検測できる装置の殆どは検測しかできず、一つの電池が故障になった場合、他の電池が通常に作動できるにもかかわらず、該電池パックは依然として作動できず、他の仕事に影響し、損失につながる。
【先行技術文献】
【特許文献】
【０００３】
【特許文献１】中国特許出願公開第１０４９７７４３５号明細書
【発明の概要】
【発明が解決しようとする課題】
【０００４】
自己検査機能付きの携帯式直流式電池パックを提供し、低い検測効率等の問題を解決する。
【課題を解決するための手段】
【０００５】
本発明は以下の技術プランを提供する：本発明である自己検査機能付きの携帯式直流式電池パックは、電池箱を含み、前記電池箱の中には電力接続機構が設置され、前記電力接続機構は四つの電池を含み、かつ四つの前記電池が直列接続されて直列接続電池パックになっており、
前記電池箱の中には前記電池が電流を出力できるかどうかを検測する検測機構が設置され、前記検測機構は移動チャンバを含み、前記移動チャンバの中には移動ブロックが設置され、前記移動ブロックの中には下方に開口しかつ左右端壁が前記移動チャンバに連通した昇降チャンバが設置され、前記移動ブロックの上端壁には通電ブロックが植設され、前記昇降チャンバの上端壁の中には下方に開口した回転チャンバが設置され、前記回転チャンバの中にはカムが設置され、前記カムの下端が前記昇降チャンバの中に位置しており、前記昇降チャンバの中には前記カムと接触した昇降ブロックと、前記昇降ブロックを支持する昇降ばねとが設置され、前記昇降ブロックの中には前記昇降ブロックの左右端壁を貫通しかつ下端壁が前記昇降チャンバと連通したスライドチャンバが設置され、前記スライドチャンバの中には下端が前記移動チャンバの中に位置した導電ブロックが設置され、前記導電ブロックの上端にはラック板が固定され、前記スライドチャンバの前後端壁の間にはスライド軸が回転可能に連結され、前記スライド軸には前記ラック板と噛み合ったスライド歯車が固定され、上側の前記ラック板の左端には下側の前記ラック板と接触した電力接続ブロックが固定され、下側の前記ラック板の右端には絶縁ブロックが固定され、上側の前記ラック板の右端には絶縁の台形ブロックが固定され、前記移動チャンバの中には前記検測機構の移動と二つの前記ラック板の左右移動とを制御できる駆動機構が設置され、前記電池を使うたび、前記駆動機構が前記検測機構を移動連動させて四つの前記電池が出力できるかどうかを検測し、いずれの前記電池が故障になると検出した時、前記駆動機構が前記ラック板の移動を制御して残りの三つの前記電池に接続し、該直列接続電池パックが正常に電流を出力することを保証し、自己検測を実現し、
前記移動チャンバの上端壁の中には、前記駆動機構が前記ラック板を連動させて作動させる必要があるかどうかを制御する制御機構が設置され、前記制御機構は前記検測機構の検測結果により判断を下す。
【０００６】
前述した技術プランの上で、前記電力接続機構は前記電池箱の上端面に固定された二つの電力接続柱を含み、前記電池箱の上端面にはハンドルが固定され、前記電池箱の中には前記移動チャンバと連通した電力接続チャンバが設置され、前記電力接続チャンバの下端壁には四つの前記電池が固定され、前記電池の上端面にはいずれも二つの電極が固定され、八つの前記電極と二つの前記電力接続柱とが二つごとに導線によって連結されている。
【０００７】
前述した技術プランの上で、前記検測機構は伸縮ばねを含み、前記伸縮ばねが前記電力接続ブロックと前記絶縁ブロックとを連結し、前記電池箱の上端面には四つの検測灯が設置されている。
【０００８】
前述した技術プランの上で、前記駆動機構がモータを含み、前記モータの右端が前記移動チャンバの右端壁に固定されかつ前記モータの左端には駆動軸が伝動可能に連結され、前記移動チャンバの上下端壁の間には固定ブロックが固定され、前記固定ブロックの中には左方に開口した収納チャンバが設置され、前記収納チャンバの中には駆動ブロックが設置され、前記駆動軸の左端が前記固定ブロックと、前記駆動ブロックと、前記移動ブロックと前記カムとを貫通しておりかつ前記カムとねじ山によって連結され、前記駆動ブロックの中には左方に開口したばね溝が設置され、前記ばね溝の上端壁には電磁ブロックが固定され、前記ばね溝の中には左端が前記移動チャンバの中に位置したばね棒と、前記ばね棒を支持する支持ばねとが設置され、前記ばね棒の左端には環状ブロックが設置され、前記収納チャンバの右端壁の中には従動チャンバが設置され、前記従動チャンバの前後端壁の間には従動軸が回転可能に連結され、前記従動軸にはリールが固定され、前記リールには左端が前記駆動ブロックと連結されたチェーンが巻き付けられ、前記従動軸と前記従動チャンバの端壁との間がねじりばねにより連結され、前記ばね溝の後端壁の中には上方に開口しかつ前記ばね溝に連通した昇降溝が設置され、前記昇降溝の中には前端が前記ばね溝の中に設置されかつ前記ばね棒の上側に位置した昇降棒が設置され、前記昇降棒の後端には下押し棒が固定されている。
【０００９】
前述した技術プランの上で、前記制御機構が持上げチャンバを含み、前記持上げチャンバの中には持上げ板と、前記持上げ板と前記持上げチャンバの上端壁とを連結した持上げばねが設置され、前記持上げ板の中には下に開口した四つのスライド溝が設置され、前記スライド溝の中にはスライドブロックが設置され、前記持上げチャンバの下端壁の中には上端壁の右側が前記持上げチャンバに連通した四つの平行移動チャンバが設置され、前記平行移動チャンバの下端壁の左側が前記移動チャンバと連通しており、前記移動チャンバの左端壁には電磁石が固定され、前記平行移動チャンバの中には、前記電磁石が通電した場合において前記電磁石と反発し合う磁石が設置され、前記磁石の中には上方に開口しかつ右端壁が前記平行移動チャンバと連通した旋転チャンバが設置され、前記旋転チャンバの前後端壁の間には旋転軸が回転可能に連結され、前記旋転軸には右端が前記平行移動チャンバの中に位置した旋転板が固定され、前記旋転板の右端には上端が前記スライドブロックと連結された細縄が固定され、前記磁石の右端には支持板が固定され、前記支持板の右端には前記旋転板の右端と連結された圧縮ばねが固定され、前記持上げチャンバの下端壁の中には前記持上げチャンバと前記昇降溝とを連通した貫通穴が設置され、前記貫通穴の中には下端が前記下押し棒の上端と接触した重物が設置され、前記重物の上端には上端が前記持上げチャンバの上端壁を貫通しておりかつ前記持上げ板と連結されたロープが固定されている。
【００１０】
前述した技術プランの上で、前記磁石の下端が前記移動チャンバの中に位置しておりかつ前記移動ブロックと接触しており、前記移動ブロックと前記磁石との間に生じる摩擦力は前記磁石が通電しない時の前記電磁石との間の磁力より小さい。
【００１１】
前述した技術プランの上で、圧縮状態にある前記圧縮ばねが一つ以上あるか、または、ピンと張られた（緊張）状態の前記細縄が一本以上ある場合に、前記持上げばねは持上げ板を復帰連動させることができない。
【００１２】
前述した技術プランの上で、前記重物の重力が前記支持ばねの弾力より大きい。
【発明の効果】
【００１３】
本発明の有益効果は：本発明は構造が簡単で、操作が便利で、装置は電池パックを使用する時に自動的に電池パック内の電池が正常作動かどうかを検測でき、もしいずれも電池が作動不能になったら、機械伝動により作動不能の電池を飛ばし、他の電池に連結し、電池パックの出力を保証し、使用者の仕事に影響しないようにすると同時に、自動化機械の伝動により、検測効率を上げて検測結果を直観的にさせる。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の実施例の構成概略図
【図２】図２は本発明の実施例の「Ａ―Ａ」構成概略図
【図３】図３は本発明の実施例の駆動機構の局部断面の正面拡大構成概略図
【図４】図４は本発明の実施例の制御機構の局部断面の正面拡大構成概略図
【図５】図５は本発明の実施例の検測機構の局部断面の正面拡大構成概略図
【図６】図６は本発明の実施例の回転チャンバの全体断面の左面拡大構成概略図
【発明を実施するための形態】
【００１６】
図１〜６の示したように、自己検査機能付きの携帯式直流式電池パックは、電池箱４を含み、前記電池箱４の中には電力接続機構６０が設置され、前記電力接続機構６０は四つの電池１３を含み、かつ四つの前記電池１３が直列接続されて直列接続電池パックになっており、前記電池箱４の中には前記電池１３が電流を出力できるかどうかを検測する検測機構６３が設置され、前記検測機構６３は移動チャンバ１４を含み、前記移動チャンバ１４の中には移動ブロック６が設置され、前記移動ブロック６の中には下方に開口しかつ左右端壁が前記移動チャンバ１４に連通した昇降チャンバ９が設置され、前記移動ブロック６の上端壁には通電ブロック５が植設され、前記昇降チャンバ９の上端壁の中には下方に開口した回転チャンバ４９が設置され、前記回転チャンバ４９の中にはカム５９が設置され、前記カム５９の下端が前記昇降チャンバ９の中に位置しており、前記昇降チャンバ９の中には前記カム５９と接触した昇降ブロック８と、前記昇降ブロック８を支持する昇降ばね１０とが設置され、前記昇降ブロック８の中には前記昇降ブロック８の左右端壁を貫通しかつ下端壁が前記昇降チャンバ９と連通したスライドチャンバ５１が設置され、前記スライドチャンバ５１の中には下端が前記移動チャンバ１４の中に位置した導電ブロック５３が設置され、前記導電ブロック５３の上端にはラック板５５が固定され、前記スライドチャンバ５１の前後端壁の間にはスライド軸５８が回転可能に連結され、前記スライド軸５８には前記ラック板５５と噛み合ったスライド歯車５７が固定され、上側の前記ラック板５５の左端には下側の前記ラック板５５と接触した電力接続ブロック５２が固定され、下側の前記ラック板５５の右端には絶縁ブロック５６が固定され、上側の前記ラック板５５の右端には絶縁の台形ブロック５４が固定され、前記移動チャンバ１４の中には前記検測機構６３の移動と二つの前記ラック板５５の左右移動とを制御できる駆動機構６１が設置され、前記電池１３を使うたび、前記駆動機構６１が前記検測機構６３を移動連動させて四つの前記電池１３が出力できるかどうかを検測し、いずれの前記電池１３が故障になると検出した時、前記駆動機構６１が前記ラック板５５の移動を制御して残りの三つの前記電池１３に接続し、該直列接続電池パックが正常に電流を出力することを保証し、自己検測を実現し、前記移動チャンバ１４の上端壁の中には、前記駆動機構６１が前記ラック板５５を連動させて作動させる必要があるかどうかを制御する制御機構６２が設置され、前記制御機構６２は前記検測機構６３の検測結果により判断を下す。
【００１７】
有益的には、前記電力接続機構６０は前記電池箱４の上端面に固定された二つの電力接続柱２２を含み、前記電池箱４の上端面にはハンドル１が固定され、前記電池箱４の中には前記移動チャンバ１４と連通した電力接続チャンバ１２が設置され、前記電力接続チャンバ１２の下端壁には四つの前記電池１３が固定され、前記電池１３の上端面にはいずれも二つの電極１１が固定され、八つの前記電極１１と二つの前記電力接続柱２２とが二つごとに導線１５によって連結されている。
【００１８】
有益的には、前記検測機構６３は伸縮ばね６４を含み、前記伸縮ばね６４が前記電力接続ブロック５２と前記絶縁ブロック５６とを連結し、前記電池箱４の上端面には四つの検測灯２が設置されている。
【００１９】
有益的には、前記駆動機構６１がモータ１８を含み、前記モータ１８の右端が前記移動チャンバ１４の右端壁に固定されかつ前記モータ１８の左端には駆動軸７が伝動可能に連結され、前記移動チャンバ１４の上下端壁の間には固定ブロック１６が固定され、前記固定ブロック１６の中には左方に開口した収納チャンバ３６が設置され、前記収納チャンバ３６の中には駆動ブロック２０が設置され、前記駆動軸７の左端が前記固定ブロック１６と、前記駆動ブロック２０と、前記移動ブロック６と前記カム５９とを貫通しておりかつ前記カム５９とねじ山によって連結され、前記駆動ブロック２０の中には左方に開口したばね溝３５が設置され、前記ばね溝３５の上端壁には電磁ブロック６６が固定され、前記ばね溝３５の中には左端が前記移動チャンバ１４の中に位置したばね棒３４と、前記ばね棒３４を支持する支持ばね１７とが設置され、前記ばね棒３４の左端には環状ブロック４２が設置され、前記収納チャンバ３６の右端壁の中には従動チャンバ３８が設置され、前記従動チャンバ３８の前後端壁の間には従動軸４１が回転可能に連結され、前記従動軸４１にはリール３９が固定され、前記リール３９には左端が前記駆動ブロック２０と連結されたチェーン３７が巻き付けられ、前記従動軸４１と前記従動チャンバ３８の端壁との間がねじりばね４０により連結され、前記ばね溝３５の後端壁の中には上方に開口しかつ前記ばね溝３５に連通した昇降溝３２が設置され、前記昇降溝３２の中には前端が前記ばね溝３５の中に設置されかつ前記ばね棒３４の上側に位置した昇降棒３３が設置され、前記昇降棒３３の後端には下押し棒３１が固定されている。
【００２０】
有益的には、前記制御機構６２が持上げチャンバ３を含み、前記持上げチャンバ３の中には持上げ板２６と、前記持上げ板２６と前記持上げチャンバ３の上端壁とを連結した持上げばね２７が設置され、前記持上げ板２６の中には下に開口した四つのスライド溝２８が設置され、前記スライド溝２８の中にはスライドブロック２９が設置され、前記持上げチャンバ３の下端壁の中には上端壁の右側が前記持上げチャンバ３に連通した四つの平行移動チャンバ２３が設置され、前記平行移動チャンバ２３の下端壁の左側が前記移動チャンバ１４と連通しており、前記移動チャンバ１４の左端壁には電磁石２５が固定され、前記平行移動チャンバ２３の中には、前記電磁石２５が通電した場合において前記電磁石２５と反発し合う磁石４６が設置され、前記磁石４６の中には上方に開口しかつ右端壁が前記平行移動チャンバ２３と連通した旋転チャンバ４４が設置され、前記旋転チャンバ４４の前後端壁の間には旋転軸４５が回転可能に連結され、前記旋転軸４５には右端が前記平行移動チャンバ２３の中に位置した旋転板４３が固定され、前記旋転板４３の右端には上端が前記スライドブロック２９と連結された細縄２４が固定され、前記磁石４６の右端には支持板４７が固定され、前記支持板４７の右端には前記旋転板４３の右端と連結された圧縮ばね４８が固定され、前記持上げチャンバ３の下端壁の中には前記持上げチャンバ３と前記昇降溝３２とを連通した貫通穴３０が設置され、前記貫通穴３０の中には下端が前記下押し棒３１の上端と接触した重物１９が設置され、前記重物１９の上端には上端が前記持上げチャンバ３の上端壁を貫通しておりかつ前記持上げ板２６と連結されたロープ２１が固定されている。
【００２１】
装置全体の器械動作の順番：
【００２２】
１：電池箱４を使用する時、モータ１８が作動して駆動軸７の回転を連動させ、駆動軸７が時計回りに回転する時、駆動軸７がカム５９を右に運動させ、更に移動ブロック６を右に運動させ、二つの導電ブロック５３が左側の電池１３の上側に位置する時、通電ブロック５が電磁石２５と接触し、モータ１８が作動して駆動軸７を制御して反時計回りに回転させ、更にカム５９を連動させて反時計回りに回転させ、更に昇降ブロック８を下降連動させ、昇降ブロック８が一番下側に下降した時モータ１８が作動停止になり、昇降ばね１０が圧縮され、更に二つの導電ブロック５３と下側の二つの電極１１とを接触させ、この時もし該電池１３が正常に作動すれば、該電池１３が電流を出力し、電流が導電ブロック５３とラック板５５とにより通電ブロック５に伝達されることで、通電ブロック５が電磁石２５の作動を制御し、更に電磁石２５と磁石４６とを反発し合わせ、更に磁石４６を右に運動させ、かつ一つの検測灯２が光る。
２：磁石４６が右に運動し、更に圧縮ばね４８により旋転板４３を回転させることで細縄２４を緩め、もし該電池１３が電流を出力できなければ、通電ブロック５が通電できず、検測灯２が光らず、かつ電磁石２５が磁石４６と吸引し、細縄２４が緩まない。
３：一つ目の電池１３を検測した後、モータ１８が作動して駆動軸７を時計回りに回転させ、更にカム５９と移動ブロック６とを右に運動させて残りの三つの電池１３を検測する。
４：四つの電池１３を検測した後、もし光った検測灯２が二つあり又は二つより少ない場合、該電池箱４が正常に作動できないことがわかり、もし検測灯２の四つが光る場合、四つの電池１３はいずれも正常に作動できることがわかり、かつ四つの細縄２４はいずれも緩んであり、この時持上げ板２６が持上げばね２７の作用により上に運動し、ロープ２１を緩め、重物１９を下降させ、更に下押し棒３１を下降させ、更に昇降棒３３を下降させ、更にばね棒３４を下降させ、更に環状ブロック４２を台形ブロック５４から離れさせ、そしてモータ１８が作動して駆動軸７を反時計回りに回転させ、更にカム５９と移動ブロック６を左に運動させ、更に磁石４６が左に運動させて復帰させ、更に旋転板４３を回転させ、圧縮ばね４８が再び圧縮され、細縄２４が持上げ板２６を引き動かして下降させ、ロープ２１に伝動による重物１９を上昇させ、更に昇降棒３３と、ばね棒３４と、環状ブロック４２と下押し棒３１とを復帰させ、磁石４６が再び通電していない電磁石２５と吸引し合い、移動ブロック６が一番左側に運動した時、モータ１８が作動して駆動軸７を時計回りに回転させ、更にカム５９を復帰させた後、装置のリセットが完了する。
５：もし検測灯２の三つが光る場合、一本の細縄２４が緩んでおらず、持上げ板２６を持上げばね２７の作用により上に運動させることができなく、更に移動ブロック６が一番右側に運動した時、台形ブロック５４が環状ブロック４２の中心に位置しており、このときモータ１８が作動して駆動軸７を反時計回りに回転させ、更にカム５９と移動ブロック６を左に運動させ、台形ブロック５４と環状ブロック４２の制限により、上側のラック板５５が右に運動し、下側のラック板５５が左に運動し、伸縮ばね６４が圧縮され、電力接続ブロック５２とスライド歯車５７とが接触した時、ラック板５５が運動しなくなり、この時二つの導電ブロック５３の間の距離が二つの隣接した負の電極１１の間の距離と同じであり、もし移動ブロック６が継続して左に運動すると、駆動ブロック２０が連動して左に運動し、チェーン３７を引き動かし、ねじりばね４０が拗じられ、移動ブロック６が正常作動不能の電池１３の上側に運動し、この時モータ１８が作動して駆動軸７を時計回りに回転させ、昇降ブロック８を下降させ、昇降ブロック８が一番下側に下降した時モータ１８が作動を停止し、この時右側の導電ブロック５３が正常作動不能の電池１３の負の電極１１と連結し、左側の導電ブロック５３が正常作動不能の電池１３の左側の電池１３の負で電極と連結し、直列接続電池パックを正常に作動させる。
６：電池箱４を使用した後、電磁石６６が作動して昇降棒３３を下降させ、更にばね棒３４と環状ブロック４２とを下降させ、環状ブロック４２と台形ブロック５４とが離れ、更にラック板５５が伸縮ばね６４の作用により復帰し、ねじりばね４０がリセットしてチェーン３７をきつく巻くことで、駆動ブロック２０を復帰させ、この時モータ１８が作動して移動ブロック６の復帰を制限する。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。